(57)【要約】【課題】複数種類に展開した場合の設計が容易な洗濯機を提供する。【解決手段】洗濯槽１０と、洗濯槽１０を収容する外装部品２０と、を備え、外装部品２０は、左右両側において正面を向く前面部２１ｄ，２１ｅを有し、左右の前面部２１ｄ，２１ｅの間に、共有の部品を適用可能な部品共有部３０を備える。部品共有部３０は、洗濯槽１０に対して洗濯物を出し入れする際に開閉されるドア３１を含む。【選択図】図１
2017169928.tif 000002
【特許請求の範囲】
【請求項１】
洗濯槽と、
前記洗濯槽を収容する外装部品と、を備え、
前記外装部品は、左右両側において正面を向く前面部を有し、
左右の前記前面部の間に、共通の構造を適用可能な共通構造部を備えることを特徴とする洗濯機。
【請求項２】
請求項１に記載の洗濯機において、
前記共通構造部は、共有の部品を適用可能な部品共有部であることを特徴とする洗濯機。
【請求項３】
請求項１に記載の洗濯機において、
前記共通構造部は、同一構成の部品を適用可能な部品同一構成部であることを特徴とする洗濯機。
【請求項４】
請求項１に記載の洗濯機において、
前記共通構造部は、少なくとも前記洗濯槽に対して洗濯物を出し入れする際に開閉されるドアを含むことを特徴とする洗濯機。
【請求項５】
請求項４に記載の洗濯機において、
前記ドアは、左右の前記前面部の間に設けられる前面パネルから突出して設けられていることを特徴とする洗濯機。
【請求項６】
請求項５に記載の洗濯機において、
前記ドアは、前記前面パネルに形成された投入口に対して上方に偏心して配置されていることを特徴とする洗濯機。
【請求項７】
請求項１から請求項６のいずれか１項に記載の洗濯機において、
前記外装部品は、左右の前記前面部を含めて、左右の側面部、背面部を備えて、平面視において略コの字状に形成されていることを特徴とする洗濯機。
【請求項８】
請求項１から請求項７のいずれか１項に記載の洗濯機において、
前記外装部品は、鋼板によって構成されていることを特徴とする洗濯機。
【請求項９】
請求項１から請求項８のいずれか１項に記載の洗濯機において、
前記洗濯槽は、３本以上のダンパを介して自立して支持されていることを特徴とする洗濯機。
【発明の詳細な説明】
【技術分野】
【０００１】
本発明は、洗濯機に関する。
【背景技術】
【０００２】
洗濯機の筺体は、例えば、左右の側板の間に架け渡して固定される複数の補強板と、補強板を含めて外側から覆うように取り付けられる樹脂製の化粧板と、を備えて構成されている（特許文献１参照）。
【先行技術文献】
【特許文献】
【０００３】
【特許文献１】特開２００７−１６７１９７号公報
【発明の概要】
【発明が解決しようとする課題】
【０００４】
しかしながら、特許文献１に記載の洗濯機では、洗濯槽の容量を変更した場合、筺体全体の形状や構成部品が変わるため、設計が煩雑になるという問題があった。
【０００５】
本発明は前記した従来の問題を解決するものであり、複数種類に展開した場合の設計変更が容易な洗濯機を提供することを目的とする。
【課題を解決するための手段】
【０００６】
本発明は、洗濯槽と、前記洗濯槽を収容する外装部品と、を備え、前記外装部品は、左右両側から内側に延びて正面を向く前面部を有し、左右の前記前面部の間に、共用の部品を適用可能な部品共用部を備えることを特徴とする。
【発明の効果】
【０００７】
本発明によれば、複数種類に展開した場合の設計変更が容易な洗濯機を提供できる。
【図面の簡単な説明】
【０００８】
【図１】本発明に係る洗濯機の分解斜視図を示し、（ａ）はドラム型洗濯機、（ｂ）はビルトインタイプのドラム型洗濯機である。
【図２】図１（ａ）の組付け後の洗濯機を示す外観斜視図である。
【図３】図１（ａ）の洗濯機を示す外観図であり、（ａ）は左側面図、（ｂ）は右側面図、（ｃ）は背面図である。
【図４】図１（ｂ）の組付け後の洗濯機を示す外観斜視図である。
【図５】図１（ｂ）の洗濯機を示す外観図であり、（ａ）は左側面図、（ｂ）は右側面図、（ｃ）は背面図である。
【図６】スリムタイプのドラム型洗濯機を示す外観斜視図である。
【図７】図６の洗濯機を示す外観図であり、（ａ）は左側面図、（ｂ）は右側面図、（ｃ）は背面図である。
【図８】図２の洗濯機の正面図を示し、（ａ）は、ドアを投入口に対して偏心させた場合、（ｂ）は比較例としてドアを投入口に対して偏心させない場合である。
【図９】図１（ａ）の洗濯機においてドアを開けた状態を示し、（ａ）は正面図、（ｂ）は斜視図である。
【図１０】（ａ）は本実施形態の洗濯機のドアの縦断面図、（ｂ）は比較例の洗濯機のドアの縦断面図である。
【図１１】（ａ）は本実施形態の洗濯機においてドアを開いた状態の正面図、（ｂ）は比較例の洗濯機においてドアを開いた状態の正面図である。
【図１２】本実施形態の洗濯機で扉を全開にした状態を示す平面図である。
【図１３】本実施形態の洗剤類投入部を示し、（ａ）は蓋が開いているときの斜視図、（ｂ）は蓋が閉じているときの縦断面図である。
【図１４】（ａ）は本実施形態の洗濯機を示す縦断面図、（ｂ）は比較例としての洗濯機を示す縦断面図である。
【図１５】（ａ）は基本構造を決めるステップ、（ｂ）はシリーズ展開する場合の基幹部分を決めるステップ、（ｃ）可変部分を決めるステップ、（ｄ）は外形寸法を決めるステップ、（ｅ）は細部の形状を決めるステップである。
【図１６】洗濯機のシリーズ展開例を示し、（ａ）はドラム式、（ｂ）スリムタイプのドラム式、（ｃ）ビルトインタイプのドラム式である。
【図１７】洗濯機のカラー展開例を示す斜視図である。
【図１８】操作パネルの構成図である。
【図１９】操作パネルの操作例を示す動作説明図である。
【図２０】操作パネルの変形例を示す構成図である
【図２１】洗濯機の操作をスマートフォンで行う場合の画面の切替動作を示すフローチャートである。
【図２２】洗濯機の操作をスマートフォンで行う場合の画面の切替動作を示すフローチャートである。
【図２３Ａ】図２１のノードＡの動作を示すフローチャートである。
【図２３Ｂ】図２１のノードＡの動作を示すフローチャートである。
【図２３Ｃ】図２１のノードＡの動作を示すフローチャートである。
【図２３Ｄ】図２１のノードＡの動作を示すフローチャートである。
【図２４】スマートフォンのトップ画面から遷移できるサンプル図である。
【図２５】アジャストの画面遷移を示すサンプル図である。
【図２６】洗い時間変更時のグラフィックの変化を示すサンプル図である。
【図２７】すすぎ回数変更時のグラフィックの変化を示すサンプル図である。
【図２８】脱水時間変更時のグラフィックの変化を示すサンプル図である。
【図２９】脱水時間を変更する際の別の操作方法を示すサンプル図である。
【図３０】乾燥時間変更時のグラフィックの変化を示すサンプル図である。
【図３１】アジャストの切替操作を示すサンプル図である。
【図３２】図２１のノードＢの動作を示すフローチャートである。
【図３３】ステップ画面の遷移を示すサンプル図である。
【図３４】図２１のノードＣの動作を示すフローチャートである。
【図３５】ドライヴログ画面の遷移を示すサンプル図である。
【図３６】ドライヴログの別の表示方法を示すサンプル図である。
【図３７】モニタリング画面の遷移を示すサンプル図である。
【発明を実施するための形態】
【０００９】
次に、本発明の実施形態の洗濯機として、ドラム式洗濯乾燥機を例に挙げて、適宜図面を参照しながら詳細に説明する。なお、以下の説明における前後上下左右の方向は、図１に示す前後上下左右の方向を基準とする。
【００１０】
図１は、本発明に係る洗濯機の分解斜視図を示し、（ａ）はドラム型洗濯機、（ｂ）はビルトインタイプのドラム型洗濯機である。なお、本実施形態では、筺体内部の配管等の構成については図示を省略している。
図１（ａ）に示すように、洗濯機Ｓ１は、ドラム式の洗濯乾燥機であり、洗濯槽１０、この洗濯槽１０を収容する外装部品２０、部品同一構成部１３０などを備えて構成されている。
【００１１】
洗濯槽１０は、外槽１１と、外槽１１内に回転自在に支持される回転ドラム１２（内槽）と、を備えて構成されている。洗濯槽１０は、３本のダンパ１３，１３，１３を介してベース１４上において弾性支持されている。ベース１４は、例えば樹脂製であり、内側に格子状のリブが形成されて補強が施されている。本実施形態では、３本のダンパ１３によって洗濯槽１０がベース１４上において自立する構造となっている。なお、ダンパ１３の数は、３本に限定されるものではなく、自立できる構造であれば、４本以上であってもよく適宜変更することができる。なお、自立とは、洗濯槽１０を下側から３本以上のダンパ１３のみで弾性支持している状態を意味し、洗濯槽１０の上部にバネを設けて吊り下げていないことを意味する。
【００１２】
外槽１１は、円筒形状を呈し、回転ドラム１２を同軸上に内包し、前面が開口している。前面の開口部には、外槽１１内への貯水を可能にする外槽カバー１１ａが設けられている。また、外槽１１（外槽カバー１１ａ）の開口部には、ゴム製のベローズ１５が設けられ、後記するドア３１を閉じることで外槽１１を水封するようになっている。
【００１３】
回転ドラム１２は、回転可能に支持された円筒状の洗濯兼脱水槽であり、その外周壁および底壁に通水および通風のための多数の貫通孔（不図示）を有し、前側端面には、洗濯物を出し入れするための開口部１２ａが設けられている。開口部１２ａの外周側には、回転ドラム１２と一体に回転する流体バランサ（不図示）が設けられている。また、回転ドラム１２の内周壁には、洗濯物を持ち上げるリフタ１２ｂが設けられている。また、回転ドラム１２の回転中心軸は、前後方向に水平となるように構成されている。なお、回転ドラム１２の回転中心軸は、水平に限定されるものではなく、開口部１２ａ側が高くなるように傾斜していてもよい。
【００１４】
外装部品２０は、１枚の板金（カラー鋼板）をプレス加工等によって、上面視において略コの字状に形成されたものである。すなわち、外装部品２０は、洗濯槽１０の左右両側に位置する側面部２１ａ，２１ｂと、洗濯槽１０の背面に位置する背面部２１ｃと、洗濯槽１０の左右両側の前面に位置する前面部２１ｄ，２１ｅと、を有している。このように、従来のように４方向から組み立てるのではなく、モノコック構造であるので、組立工数を削減できる。さらに、前面部２１ｄ，２１ｅを形成することで、前面部２１ｄ，２１ｅが形成されていないものよりも外装部品２０の強度を高めることができる。
【００１５】
また、外装部品２０は、側面部２１ａと背面部２１ｃとの境界の角部、側面部２１ｂと背面部２１ｃとの境界の角部、側面部２１ａと前面部２１ｄとの境界の角部、および側面部２１ｂと前面部２１ｅとの境界の角部がＲ（アール）形状を成すように形成されている。また、前面部２１ｄと前面部２１ｅは、上下に配置された棒状のステー２１ｆ，２１ｇによって連結されている。また、背面部２１ｃには、釣鐘形状に切り欠かれた点検口２１ｈが形成されている。
【００１６】
洗濯機Ｓ１は、前面部２１ｄと前面部２１ｅとの間には、図１（ｂ）の洗濯機Ｓ２と同一構成の部品を適用可能な部品同一構成部１３０が設けられている。部品同一構成部１３０は、洗濯物の出し入れする際に開閉されるドア３１を含んでいる。
【００１７】
ドア３１は、外ガラス３１ａと、内ガラス３１ｂと、内ガラス３１ｂを外ガラス３１ａに抑えるためのリング状の樹脂ピース３１ｃと、ドア３１の裏面外周を覆うリング状の樹脂カバー３１ｄと、を備えて構成されている。また、ドア３１を前面上パネル３２に開閉自在に取り付けるためのヒンジ３２ｂが設けられている。なお、前面上パネル３２は、外装部品２０と同様に板金（カラー鋼板）を加工することによって形成されている。
【００１８】
外ガラス３１ａは、円形の平板状のガラスによって構成されている。内ガラス３１ｂは、外ガラス３１ａよりも小径であり、内側（外装部品２０側）に突出する突出部３１ｂ１と、この突出部３１ｂ１の周囲に形成されるつば部３１ｂ２と、を備えている。
【００１９】
前面上パネル３２は、外槽１１の開口部と対応する位置に円形の開口３２ａが形成されている。また、前面上パネル３２の下方には、糸くずフィルタ３３や洗剤自動投入用タンク３４が取り付けられる前面下パネル３５が設けられている。なお、前面下パネル３５は、外装部品２０と同様に、板金（カラー鋼板）を加工することによって構成されている。なお、本実施形態では、前面パネルを前面下パネル３５と前面上パネル３２とで分割して構成しているが、１枚のパネルで構成されていてもよい。
【００２０】
前面下パネル３５には、糸くずフィルタ３３が挿入れる挿入孔３５ａと、洗剤自動投入用タンク３４が挿入される挿入孔３５ｂが形成されている。挿入孔３５ａには、糸くずフィルタ３３が挿入されるフィルタケース３６が装着されている。挿入孔３５ｂには、洗剤自動投入用タンク３４が挿入されるタンクケース３７が装着されている。
【００２１】
また、洗濯機Ｓ１は、外装部品２０の上部開口を塞ぐ天板４０を備えている。天板４０は、例えば樹脂製で略矩形状に形成されている。この天板４０には、洗濯機Ｓ１の操作を行う操作パネル（コントロールパネル）６０が取り付けられる操作パネル取付部４１と、洗剤類投入部６１が取り付けられる洗剤類投入ケース取付部４２とが、手前側において左右に並んで配置されている。なお、操作パネル取付部４１と洗剤類投入ケース取付部４２は、前面部２１ｄと前面部２１ｅとの間に位置している。
【００２２】
また、天板４０の左奥側には、水道栓（不図示）と接続される給水ホース接続口４４ａ、風呂の残り湯の吸水ホース接続口４４ｂが設けられている。天板４０の右奥側には、乾燥運転時に発生する埃を捕集する乾燥フィルタ６２が装着されるフィルタケース取付部４３が設けられている。洗濯機Ｓ１は、点検口２１ｈを塞ぐ点検口カバー６３を備えている。
【００２３】
図１（ｂ）に示すように、洗濯機Ｓ２は、ビルトイン式の洗濯機であり、洗濯槽（不図示）を収容する外装部品１２０、部品同一構成部１３０などを備えて構成されている。なお、図示しない洗濯槽は、自立式のものであり、図１（ａ）に示す洗濯槽１０よりも小容量のものである。また、洗濯機Ｓ２は、乾燥機能を備えていないものである。
【００２４】
外装部品１２０は、１枚の板金（カラー鋼板）をプレス加工等によって、上面視において略コの字状に形成されたものである。すなわち、外装部品１２０は、洗濯槽（不図示）の左右両側に位置する側面部１２１ａ，１２１ｂと、洗濯槽の背面に位置する背面部１２１ｃと、洗濯槽の左右両側の前面に位置する前面部１２１ｄ，１２１ｅと、を有している。
【００２５】
また、外装部品１２０は、側面部１２１ａと背面部１２１ｃとの境界の角部、側面部１２１ｂと背面部１２１ｃとの境界の角部、側面部１２１ａと前面部１２１ｄとの境界の角部、および側面部１２１ｂと前面部１２１ｅとの境界の角部がＲ（アール）形状を成すように形成されている。また、前面部１２１ｄと前面部１２１ｅは、上部に配置されたステー１２１ｆによって連結されている。また、背面部１２１ｃには、釣鐘形状に切り欠かれた点検口１２１ｈが形成されている。
【００２６】
前面部１２１ｄと前面部１２１ｅとの間には、部品同一構成部１３０が設けられている。部品同一構成部１３０は、洗濯物の出し入れする際に開閉されるドア１３１を含んでいる。
【００２７】
ドア１３１は、外ガラス１３１ａと、内ガラス１３１ｂと、内ガラス１３１ｂを外ガラス１３１ａに抑えるためのリング状の樹脂ピース１３１ｃと、ドア１３１の裏面外周を覆うリング状の樹脂カバー１３１ｄと、を備えて構成されている。また、ドア１３１を前面パネル１３２に開閉自在に取り付けるためのヒンジ１３２ｂが設けられている。
【００２８】
外ガラス１３１ａは、円形の平板状のガラスによって構成されている。内ガラス１３１ｂは、外ガラス１３１ａよりも小径であり、内側（外装部品１２０側）に突出する突出部１３１ｂ１と、この突出部の周囲に形成されるつば部１３１ｂ２と、を備えている。また、外ガラス１３１ａおよび内ガラス１３１ｂは、図１（ａ）の外ガラス３１ａおよび内ガラス３１ｂよりも小径に形成されている。
【００２９】
前面パネル１３２は、外槽１１の開口部と対応する位置に円形の開口１３２ａが形成されている。また、前面パネル１３２の下部には、糸くずフィルタ（不図示）が挿入れる挿入孔１３２ｃと、洗剤自動投入用タンク３４が挿入される挿入孔１３２ｄが形成されている。挿入孔１３２ｂには、糸くずフィルタが挿入されるフィルタケース３６が装着されている。挿入孔１３２ｄには、洗剤自動投入用タンク３４が挿入されるタンクケース３７が装着されている。
【００３０】
前面パネル１３２の上方には、操作パネル１６０と、引き出し式の洗剤類投入部１６１が左右に並んで設けられている。また、洗濯機Ｓ２は、外装部品１２０の上部開口を塞ぐ天板１４０を備えている。また、洗濯機Ｓ２は、点検口１２１ｈを塞ぐ点検口カバー１６３を備えている。
【００３１】
操作パネル６０，１６０は、外装部品２０，１２０の内部に設けた制御装置（不図示）と電気的に接続されている。なお、洗濯機Ｓ１，Ｓ２は、回転ドラム１２を回転駆動させるドラムモータＭ（図１４（ａ）参照）と、温風を洗濯槽１０内に循環させる送風ユニット（不図示）と、を備えて構成されている。また、洗濯槽（不図示）の下方には、洗濯槽１０内の洗濯水を排出する際に開く排水弁や、排水を機外に排出する排水ホースが設けられている。また、洗濯槽１０の上方には、給水電磁弁、風呂水吸水ポンプ、水位センサ等の給水関連部品が設けられている。
【００３２】
図２は、図１（ａ）の組付け後の洗濯機を示す外観斜視図である。
図２に示すように、洗濯機Ｓ１は、前面部２１ｄ，２１ｅを形成することで、正面に上下方向に延びる分割ラインＬａ，Ｌｂを備えた構造となっている。
【００３３】
また、洗濯機Ｓ１は、外装部品２０の前面部２１ｄと前面部２１ｅとの間に、ドア３１、前面上パネル３２、前面下パネル３５が位置している。また、洗濯機Ｓ１は、前面部２１ｄと前面部２１ｅとの間に、操作パネル６０および洗剤類投入部６１が位置している。
【００３４】
また、糸くずフィルタ３３は、前面下パネル３５に形成された挿入孔３５ａから露出した状態で装着される。また、洗剤自動投入用タンク３４は、前面下パネル３５に形成された挿入孔３５ｂから露出した状態で装着される。
【００３５】
図３は、図１（ａ）の洗濯機を示す外観図であり、（ａ）は左側面図、（ｂ）は右側面図、（ｃ）は背面図である。
図３（ａ）に示すように、外装部品２０の側面部２１ａには、補強用として、水平方向（図示前後方向）に帯状に延びる溝部２２ａが上下方向に等間隔に複数形成されている。また、側面部２１ａには、上部の溝部２２ａに、運搬用の手掛部２３ａが設けられ、下側の溝部２２ａに、運搬用の手掛部２３ｂ，２３ｂが設けられている。
【００３６】
図３（ｂ）に示すように、外装部品２０の側面部２１ｂには、補強用として、水平方向（図示前後方向）に帯状に延びる溝部２２ｂが上下方向に等間隔に複数形成されている。また、側面部２１ｂには、上部の溝部２２ｂに、運搬用の手掛部２３ａが設けられ、下側の溝部２２ｂに、運搬用の手掛部２３ｂ，２３ｂが設けられている。
【００３７】
図３（ａ）および（ｂ）に示すように、ドア３１を全閉したときに、ドア３１の一部が、外装部品２０から正面に突出した状態になる。ドア３１を構成する樹脂カバー３１ｄは、外ガラス３１ａから後方に向けて縮径するように構成されている。よって、ドア３１を正面から見たときに、樹脂カバー３１ｄが外ガラス３１ａの裏側に隠れるようになっている。
【００３８】
図３（ｃ）に示すように、外装部品２０の背面部２１ｃには、補強用として、水平方向（図示左右方向）に帯状に延びる溝部２２ｃが上下方向に等間隔に複数形成されている。また、背面部２１ｃには、上部の溝部２２ｃに、運搬用の手掛部２３ｃ，２３ｃが設けられている。
【００３９】
また、側面部２１ａのそれぞれの溝部２２ａと側面部２１ｂのそれぞれの溝部２２ｂは、同じ高さ位置に形成されている。背面部２１ｃの溝部２２ｃは、上下において隣り合う溝部２２ａと溝部２２ａとの間（上下において隣り合う溝部２２ｂと溝部２２ｂとの間）に位置するように構成されている。このように、側面部２１ａ，２１ｂの溝部２２ａ，２２ａの高さ位置と、背面部２１ｃの溝部２２ｃの高さ位置とを、水平方向において重ならないように形成することで、外装部品２０の強度をさらに高めることができる。
【００４０】
図４は、図１（ｂ）の組付け後の洗濯機を示す外観斜視図である。
図４に示すように、洗濯機Ｓ２は、前面部１２１ｄ，１２１ｅを形成することで、正面に上下方向に延びる分割ラインＬｃ，Ｌｄを備えた構造となっている。
【００４１】
また、洗濯機Ｓ２は、外装部品１２０の前面部１２１ｄと前面部１２１ｅとの間に、ドア１３１、前面パネル１３２、操作パネル１６０、洗剤類投入部１６１が位置するように構成されている。
【００４２】
また、糸くずフィルタ３３は、手前側が前面パネル１３２に形成された開口１３２ｃから露出した状態で装着される。また、洗剤自動投入用タンク３４は、手前側が前面上パネル３２に形成された挿入孔１３２ｄから露出した状態で装着される。
【００４３】
図５は、図１（ｂ）の洗濯機を示す外観図であり、（ａ）は左側面図、（ｂ）は右側面図、（ｃ）は背面図である。
図５（ａ）に示すように、外装部品１２０の側面部１２１ａには、補強用として、水平方向（図示前後方向）に帯状に延びる溝部１２２ａが上下方向に等間隔に複数形成されている。また、側面部１２１ａには、下側の溝部１２２ａに、運搬用の手掛部１２３ａ，１２３ａが設けられている。
【００４４】
図５（ｂ）に示すように、外装部品１２０の側面部１２１ｂには、補強用として、水平方向（図示前後方向）に帯状に延びる溝部１２２ｂが上下方向に等間隔に複数形成されている。また、側面部１２１ｂには、下側の溝部１２２ｂに、運搬用の手掛部１２３ａ，１２３ａが設けられている。
【００４５】
図５（ｃ）に示すように、外装部品１２０の背面部１２１ｃには、補強用として、水平方向（図示左右方向）に帯状に延びる溝部１２２ｃが上下方向に等間隔に複数形成されている。
【００４６】
また、側面部１２１ａのそれぞれの溝部１２２ａと側面部１２１ｂのそれぞれの溝部１２２ｂは、同じ高さ位置に形成されている。背面部１２１ｃの溝部１２２ｃは、上下において隣り合う溝部１２２ａと溝部１２２ａとの間（上下において隣り合う溝部１２２ｂと溝部１２２ｂとの間）に位置するように構成されている。このように、側面部１２１ａ，１２１ｂの溝部１２２ａ，１２２ｂの高さ位置と、背面部１２１ｃの溝部１２２ｃの高さ位置とを、水平方向において重ならないように形成することで、外装部品２０の強度をさらに高めることができる。
【００４７】
図６は、スリムタイプのドラム型洗濯機を示す外観斜視図である。
図６に示すように、洗濯機Ｓ３は、洗濯槽（図示省略）と、この洗濯槽を収容する外装部品２２０と、を備えて構成されている。なお、洗濯機Ｓ３は、洗濯機Ｓ１に対して横幅が狭いスリムなタイプであり、洗濯機Ｓ１（奥行きＤ１）よりも奥行きＤ２が長く形成されている。
【００４８】
外装部品２２０は、１枚の板金（カラー鋼板）をプレス加工等によって、上面視において略コの字状に形成されたものである。すなわち、外槽部品２２０は、洗濯槽の左右両側に位置する側面部２２１ａ，２２１ｂと、洗濯槽の背面に位置する背面部２２１ｃと、洗濯槽の左右両側の前面に位置する前面部２２１ｄ，２２１ｅと、を有している。
【００４９】
また、外装部品２２０は、側面部２２１ａと背面部２２１ｃとの境界の角部、側面部２２１ｂと背面部２２１ｃとの境界の角部、側面部２２１ａと前面部２２１ｄとの境界の角部、および側面部２２１ｂと前面部２２１ｅとの境界の角部がＲ（アール）形状を成すように形成されている。また、前面部２２１ｄと前面部２２１ｅは、上下に配置された棒状のステー（不図示）によって連結されている。また、背面部２２１ｃには、釣鐘形状に切り欠かれた点検口（不図示）が形成され、点検口に点検口カバー６３（図７（ｃ）参照）が取り付けられている。
【００５０】
このように洗濯機Ｓ３は、前面部２２１ｄ，２２１ｅを形成することで、正面に上下方向に延びる分割ラインＬｅ，Ｌｆを備えた構造となっている。
【００５１】
図７は、スリムタイプの洗濯機を示す外観図であり、（ａ）は左側面図、（ｂ）は右側面図、（ｃ）は背面図である。
図７（ａ）に示すように、外装部品２２０の側面部２２１ａには、補強用として、水平方向（図示前後方向）に帯状に延びる溝部２２２ａが上下方向に等間隔に複数形成されている。また、側面部２２１ａには、上部の溝部２２２ａに、運搬用の手掛部２２３ａが設けられ、下側の溝部２２２ａに、運搬用の手掛部２２３ｂ，２２３ｂが設けられている。
【００５２】
図７（ｂ）に示すように、外装部品２２０の側面部２２１ｂには、補強用として、水平方向（図示前後方向）に帯状に延びる溝部２２２ｂが上下方向に等間隔に複数形成されている。また、側面部２２１ｂには、上部の溝部２２２ｂに、運搬用の手掛部２２３ａが設けられ、下側の溝部２２２ｂに、運搬用の手掛部２２３ｂ，２２３ｂが設けられている。
【００５３】
図７（ｃ）に示すように、外装部品２２０の背面部２２１ｃには、補強用として、水平方向（図示左右方向）に帯状に延びる溝部２２２ｃが上下方向に等間隔に複数形成されている。また、背面部２２１ｃには、上部の溝部２２２ｃに、運搬用の手掛部２２３ｃ，２２３ｃが設けられている。
【００５４】
また、側面部２２１ａのそれぞれの溝部２２２ａと側面部２２１ｂのそれぞれの溝部２２２ｂは、同じ高さ位置に形成されている。背面部２２１ｃの溝部２２２ｃは、上下において隣り合う溝部２２２ａと溝部２２２ａとの間（上下において隣り合う溝部２２２ｂと溝部２２２ｂとの間）に位置するように構成されている。このように、側面部２２１ａ，２２１ｂの溝部２２２ａ，２２２ｂの高さ位置と、背面部２２１ｃの溝部２２２ｃの高さ位置とを、水平方向において重ならないように形成することで、溝部２２２ａ，２２２ｂ，２２２ｃを全て同じ高さ位置に形成する場合よりも外装部品２２０の強度を高めることができる。
【００５５】
図６に示すように、洗濯機Ｓ３は、前面部２２１ｄと前面部２２１ｅとの間に、洗濯機Ｓ１と部品を共有可能な部品共有部３０（共通構造部）を備えている。部品共有部３０は、洗濯物の出し入れする際に開閉されるドア３１を含んでいる。図６において太線で囲む部分は、外装部品２２０の左右両側において正面を向く前面部２２１ｄと前面部２２１ｅとの間に位置し、図２において太線で囲む部分と、共有の部品を適用できるように構成されている。すなわち、洗濯機Ｓ１と洗濯機Ｓ３とでは、ドア３１、前面上パネル３２、ヒンジ３２ｂ、前面下パネル３５、糸くずフィルタ３３、洗剤自動投入用タンク３４、フィルタケース３６、タンクケース３７、ステー２１ｆ，２１ｇ、操作パネル６０、洗剤類投入部６１、乾燥フィルタ６２、ベローズ１５、ダンパ１３，１３，１３、点検口カバー６３、手掛部２１ａ３，２３ａ，２３ｂ，２１ｃ２が、部品共有部として構成されている。
【００５６】
図８は、図２の洗濯機の正面図を示し、（ａ）は、ドアを投入口に対して偏心させた場合、（ｂ）は比較例としてドアを投入口に対して偏心させない場合である。なお、図８では、洗濯機Ｓ１を例に上げて説明するが、他の洗濯機Ｓ２，Ｓ３についても同様に構成されることが好ましい。
図８（ａ）に示す洗濯機Ｓ１は、ドア３１の径方向の中心Ｏ１と、前面上パネル３２の開口３２ａ（図１（ａ）参照）の径方向の中心Ｏ２とが偏心して、中心Ｏ１が中心Ｏ２より上側に位置している。これに対して、図８（ｂ）において比較例として示す洗濯機は、ドア３１Ａの径方向の中心Ｏ１と、前面上パネル３２の開口３２ａの径方向の中心Ｏ２が一致している場合である。なお、ドア３１，３１Ａの直径は、前面上パネル３２の幅とほぼ同じに形成されている。
【００５７】
このように、図８（ｂ）に示すように、ドア３１Ａの中心Ｏ１と、開口３２ａの中心Ｏ２とが一致すると、ユーザにとって洗濯槽１０の位置が低く見える感じになる。これに対して、図８（ａ）に示すように、ドア３１の中心Ｏ１が開口３２ａ（投入口）の中心Ｏ２に対して上方に偏心して配置されていると、ユーザにとって洗濯槽１０の位置が高く見える感じになる。また、ドア３１を開口３２ａに対して上方に偏心させることで、ドアの位置が高くなり、取手部３９の位置も高くできるので、ドア３１の開動作が容易になる。
【００５８】
図９は、図１（ａ）の洗濯機においてドアを開けた状態を示し、（ａ）は正面図、（ｂ）は斜視図である。
図９（ａ）に示すように、ドア３１の樹脂カバー３１ｄには、凹み形状の取手部３９が形成されている。ドア３１を筺体（外装部品）に埋め込む構造ではなく、ドア３１が前面上パネル３２から前方に突出した構造にすることで、ドア３１を開ける際の手掛けとなる取手部３９を形成することが可能になっている。
【００５９】
また、前面上パネル３２には、開口３２ａの周囲に、偏心した環状の窪み３２ａ１が形成されている。この窪み３２ａ１は、前面上パネル３２をプレス成型することによって構成されている。また、窪み３２ａ１の直径は、ドア３１の直径とほぼ一致するように構成されている。
【００６０】
図９（ｂ）に示すように、取手部３９は、ヒンジ３２ｂとは逆側の上寄りに設けられている。また、ヒンジ３２ｂは、窪み３２ａ１内に位置するように設けられている。
【００６１】
図１０（ａ）は、本実施形態の洗濯機のドアの縦断面図、（ｂ）は、比較例の洗濯機のドアの縦断面図、図１１（ａ）は本実施形態の洗濯機においてドアを開いた状態の正面図、（ｂ）は比較例の洗濯機においてドアを開いた状態の正面図、図１２は、本実施形態の洗濯機で扉を全開にした状態を示す平面図である。なお、図１０では、ドア以外の内部構造については図示省略している。
図１０（ｂ）において比較例で示すように、ドア３０１がフロントパネル３１０と面一となるようにした洗濯機３００が一般に提案されている。このようなドア３０１がフロントパネル３１０に埋まる構造では、図１１（ｂ）に示すように、埋まっている部分を隠すための部品として環状の部品３１１が必要になる。
【００６２】
これに対して、図１０（ａ）に示すように、ドア３１を前面上パネル３２（フロントパネル）から突出させる構造にすることで、図１１（ａ）に示すように、前記した部品３１１が不要になり、部品点数を削減することが可能になる。
【００６３】
また、図１０（ｂ）および図１１（ｂ）の比較例で示すように、ドア３０１がフロントパネル３１０に埋め込まれる洗濯機では、ドア３０１を開閉するためのヒンジがいわゆる持ち出しヒンジが必要になるため、構造が複雑であった。しかし、図１２に示すように、本実施形態の洗濯機Ｓ１では、ドア３１をフロントパネルである前面上パネル３２（図１０（ａ）参照）から突出させる構造にしたので、ヒンジ３２ｂ（図１２参照）を簡易な構造にすることができ、しかもドア３１を１８０度開放できるようになっている。このようにドア３１を１８０度開放できることにより、ドア３１によって、洗濯槽１０内の洗濯物の取り出しが阻害されるのを防止できる。つまり、ドアが９０度程度しか開放しないものであれば、ドアの左側からの洗濯槽へのアクセスは阻害されるが、ドア３１が１８０度開放できることで、ドア３１の左側からの洗濯槽へのアクセスが可能になる。なお、洗濯機Ｓ２，Ｓ３についても同様である。
【００６４】
図１３は、本実施形態の洗剤類投入ケースを示し、（ａ）は蓋が開いているときの斜視図、（ｂ）は蓋が閉じているときの縦断面図である。
図１３（ａ）に示すように、洗剤類投入部６１は、天板４０の前部左側に位置し、洗剤類が投入される洗剤類投入部６１ａと、洗剤類投入部６１ａを開閉する蓋部材６１ｂと、を備えて構成されている。
【００６５】
洗剤類投入部６１ａは、平面視略矩形状に形成され、幅方向（左右方向）の中央に仕切板６１ｃが設けられている。また、洗剤類投入部６１ａの上端周縁部には縁部６１ｄが形成されている。
【００６６】
蓋部材６１ｂは、天板４０と同様の合成樹脂製の材料で形成され、略四角板状に形成されている。また、蓋部材６１ｂの先端中央部には、手掛け用の窪み部６１ｅが形成されている。また、蓋部材６１ｂの裏面には、四角シート状のパッキン（シール部材）６１ｆが設けられている。
【００６７】
図１３（ｂ）に示すように、蓋部材６１ｂは、幅方向に延びる回動軸６１ｇを介して、洗剤類投入部６１ａを開閉するように回動自在に支持されている。また、洗剤類投入部６１ａの後方には、蓋部材６１ｂが開いたときに、回動軸６１ｇより後方の蓋部材６１ｂの後端が接触するのを防止する断面視凹形状の逃げ部６１ｈが形成されている。
【００６８】
蓋部材６１ｂを閉じたときに、パッキン６１ｆの縁部が洗剤類投入部６１ａの縁部６１ｄに当接することで、洗剤類投入部６１ａを密閉できるように構成されている。なお、図示していないが、パッキン６１ｆによって、蓋部材６１ｂが洗剤類投入部６１ａに嵌合することで、洗濯機Ｓ１の運転時に振動によって蓋部材６１ｂが開放しないようになっている。
【００６９】
図１４（ａ）は、本実施形態の洗濯機を示す縦断面図、（ｂ）は比較例としての洗濯機を示す縦断面図である。なお、図１４（ａ）、（ｂ）では、洗濯槽の内槽の図示を省略している。
図１４（ｂ）に示す洗濯機３００は、洗濯槽の外装３２０の回転軸の前側が後側よりも高くなるように傾斜する構成である。一方、図１４（ａ）に示す本実施形態の洗濯機Ｓ１は、洗濯槽１０の回転軸が前後方向に水平になるように構成されている。これにより、洗濯槽１０を天板４０に近づけることができ、洗濯槽１０の底面１０ｓの高さを、比較例の洗濯槽３２０の底面よりも上げることができる。したがって、洗濯槽１０内の洗濯物を取り出す際に、図１４（ｂ）の洗濯機３００では、大きく腰をかがめる必要があったが、図１４（ａ）の洗濯機Ｓ１では、洗濯機３００よりも腰をかがめる度合いを小さくすることができ、洗濯物の取り出しが容易になる。
【００７０】
また、図１４（ｂ）に示す洗濯機３００では、洗濯槽３２０までの距離Ｌ３００が長く設定される。これに対して、図１４（ａ）に示す洗濯機Ｓ１では、ドア３１を突出した構造にしたことで、洗濯槽１０までの距離Ｌ１０を洗濯槽３２０のＬ３００よりも短くすることができる。これにより、洗濯機Ｓ１における洗濯物の出し入れを容易にできる。
【００７１】
図１５（ａ）は基本構造を決めるステップ、（ｂ）はシリーズ展開する場合の基幹部分を決めるステップ、（ｃ）可変部分を決めるステップ、（ｄ）は外形寸法を決めるステップ、（ｅ）は細部の形状を決めるステップである。
このように、本実施形態の洗濯機Ｓ１では、図１５（ａ）に示すように、洗濯槽１０、この洗濯槽１０を収容する外装部品２０、天板４０、ベース１４、を基本構造として決定する。そして、図１５（ｂ）に示すように、シリーズ展開を考えた場合の基幹部分として部品共有部３０を決定し、最小、平均（中間）、最大の展開を考える。そして、図１５（ｃ）に示すように、各シリーズにおいて、追加、削除が必要な部品として、例えば、操作パネル６０と洗剤類投入部６１を決定する。そして、図１５（ｄ）に示すように、設置条件などを考慮して、図１５（ｃ）の可変部分が収まるように外形寸法を決定する。そして、図１５（ｅ）に示すように、細部の形状として、角のＲ形状などを決定して形を整える。本実施形態では、図１５（ａ）〜図１５（ｅ）の５つのステップによって、シリーズ展開可能なデザインとしたものである。
【００７２】
図１６は、洗濯機のシリーズ展開例を示し、（ａ）はドラム式、（ｂ）スリムタイプのドラム式、（ｃ）ビルトイン式である。
図１６（ａ）に示す洗濯機Ｓ１と図１６（ｃ）に示す洗濯機Ｓ２は、同じ部品構成である部品同一構成部１３０（共通構造部）を備えるため、また図１６（ａ）に示す洗濯機Ｓ１と図１６（ｂ）に示す洗濯機Ｓ３は、部品を共有可能な部品共有部３０を備えるため、洗濯槽の容量変更や新シリーズの展開が容易になる。このため、洗濯機Ｓ１のＣＡＤデータをもとに、高さ、幅、奥行き、角Ｒの寸法など少ないパラメータを編集するだけで（図１５（ｄ）および図１５（ｅ）参照）シリーズ展開（横展開）することが可能になる。
【００７３】
また、図１６（ａ）、（ｂ）、（ｃ）に示すように、洗濯機Ｓ１，Ｓ２，Ｓ３において、分割ラインＬａ，Ｌｂ，Ｌｃ，Ｌｄ，Ｌｅ，Ｌｆを形成することにより、洗濯機Ｓ１，Ｓ２，Ｓ３をスリムに見せることができる。
【００７４】
図１７は、洗濯機のカラー展開例を示す斜視図である。
図１７（ａ）に示すように、外装部品２０と前面上パネル３２と前面下パネル３５を白色とし、ベース１４および天板４０（操作パネル６０と洗剤類投入部６１を含む）を黒色とすることができる。図１７（ｂ）に示すように、外装部品２０と前面上パネル３２と前面下パネル３５とベース１４と天板４０（操作パネル６０と洗剤類投入部６１を含む）をすべて白色とすることができる。図１７（ｃ）に示すように、外装部品２０を白色とし、前面上パネル３２と前面下パネル３５とベース１４と天板４０（操作パネル６０と洗剤類投入部６１を含む）を黒色とすることができる。図１７（ｄ）に示すように、前面上パネル３２と前面下パネル３５と操作パネル６０と洗剤類投入部６１を白色とし、外装部品２０とベース１４と天板４０（操作パネル６０と洗剤類投入部６１を含まない）を黒色とすることができる。図１７（ｅ）に示すように、前面上パネル３２と前面下パネル３５を白色とし、外装部品２０とベース１４と天板４０（操作パネル６０と洗剤類投入部６１を含む）を黒色とすることができる。図１７（ｆ）に示すように、外装部品２０と前面上パネル３２と前面下パネル３５とベース１４と天板４０（操作パネル６０と洗剤類投入部６１を含む）をすべて黒色とすることができる。
【００７５】
このように、前面に分割ラインＬａ，Ｌｂを形成することで、塗り分けの多様性を持たせることができ、嗜好性の異なる海外向けにおいても容易に対応できるようになる。
【００７６】
また、外装部品２０や前面上パネル３２、前面下パネル３５にカラー鋼板を用いることで、塗装に比べて安定した彩色が可能になる。また、塗装のように部品間での色のバラツキを無くすことができる。また、図１７（ａ）ないし図１７（ｆ）に示ししたように、部品の分割部分で色を塗り分けることで、多くのバリエーションの洗濯機を実現でき、例えば様々な国の規制や国民の嗜好にあった色展開を行うことが可能になる。
【００７７】
また、ドア３１の裏面にリング状に印刷してもよい。これにより、ドアガラスの周囲に別ピースで部品を設ける必要がないので、部品点数の削減が可能になる。また、ドア３１の裏面の印刷も彩色することが可能であるので、さらにバリエーションを増やすことができる。
【００７８】
以上のように、本実施形態の洗濯機Ｓ１，Ｓ３では、洗濯槽１０と、洗濯槽１０を収容する外装部品２０，２２０と、を備え、外装部品２０，２２０は、左右両側において正面を向く前面部２１ｄ，２１ｅ，２２１ｄ，２２１ｅを有し、左右の前面部２１ｄ，２１ｅ，２２１ｄ，２２１ｅの間に、共有の部品を適用可能な部品共有部３０を備える（図１６（ａ）と図１６（ｂ）参照）。これによれば、洗濯機Ｓ３を洗濯機Ｓ１に比べてスリム化（幅狭化）するために、洗濯槽１０の形状を変更（直径小、奥行き大）したときに、部品共有部３０を共有できるので、主に外装部品２０，２２０、天板４０，２４０の形状を変更するだけでよいので、洗濯機を複数種類に展開（シリーズ展開）する場合に設計変更が容易になる。また、洗濯機Ｓ１と洗濯機Ｓ３との間で、部品共有部３０を備えているので、部品点数を削減でき、製造コストを低減できる。
【００７９】
また、本実施形態では、部品共有部３０が、洗濯槽１０に対して洗濯物を出し入れする際に開閉されるドア３１，１３１を含んでいる。これによれば、ユーザがよく利用する部品を共有化することで、洗濯機Ｓ１を洗濯機Ｓ３に機種変更したとしても、使い勝手が変わることがない。なお、本実施形態では、ドア３１，１３１だけではなく、ユーザが利用する、糸くずフィルタ３３、洗剤自動投入用タンク３４、操作パネル６０，１６０、洗剤類投入部６１，１６１を共有化できるので、機種変更したとしても、使い勝手が損なわれることがない。
【００８０】
また、本実施形態では、ドア３１は、左右の前面部２１ｄ，２１ｅの間に設けられる前面上パネル３２から突出して設けられている。これによれば、洗濯槽１０へのアクセス距離が短くなるので、洗濯物の取り出しが容易になる（図１４（ａ）参照）。
【００８１】
また、本実施形態では、ドア３１を左右の前面部２１ｄ，２１ｅの間に設けられる前面上パネル３２から突出して設けることで、ドア３１に取手部３９を形成することができる（図６参照）。このため、従来のように別ピースで取っ手を設ける必要がなく、凹み形状にするだけでよいので、構造が簡単で部品点数の削減が可能である。
【００８２】
また、本実施形態では、ドア３１が前面上パネル３２に形成された開口３２ａ（投入口）に対して上方に偏心して配置されている（図８（ａ）参照）。これによれば、ユーザに槽の高さが高くなったと感じさせることができる。
【００８３】
また、本実施形態の洗濯機Ｓ１，Ｓ２では、洗濯槽１０と、洗濯槽１０を囲む外装部品２０，１２０と、を備え、外装部品２０，１２０が左右両側において正面を向く前面部２１ｄ，２１ｅ，１２１ｄ，１２１ｅを有し、左右の前面部２１ｄ，２１ｅ，１２１ｄ，１２１ｅの間に、同一構成の部品を適用可能な部品同一構成部１３０を備えている（図１６（ａ）と図１６（ｃ）参照）。これによれば、洗濯機Ｓ１を洗濯機Ｓ２にするために、部品同一構成部１３０を備えることで、別の種類の部品を新たに設計する必要がなくなるので、洗濯機を複数種類に展開（シリーズ展開）する場合に設計が容易になる。
【００８４】
また、本実施形態では、外装部品２０，１２０，２２０が、左右の前面部２１ｄ，２１ｅ，１２１ｄ，１２１ｅ，２２１ｄ，２２１ｅを含めて、左右の側面部２１ａ，２１ｂ，１２１ａ，１２１ｂ，２２１ａ，２２１ｂ、背面部２１ｃ，１２１ｃ，２２１ｃを備えて、平面視において略コの字状に形成されている（図１（ａ）、図１（ｂ）、図３、図５、図６、図７参照）。これによれば、部品点数を削減できるとともに強度を高めることができる。また、前面部２１ｄ，２１ｅ，１２１ｄ，１２１ｅ，２２１ｄ，２２１ｅを備えることで、さらに強度を高めることができる。
【００８５】
なお、本実施形態では、外装部品２０，１２０，２２０を一枚の鋼板を平面視略コの字にした場合を例に挙げて説明したが、前面部２１ｄ，２１ｅ，１２１ｄ，１２１ｅ，２２１ｄ，２２１ｅを備えるものであれば、２分割、３分割など、複数の分割したものをコの字状になるように組み合わせたものであってもよい。また、平面視略コの字状に限定されるものではなく、平面視略Ｕ字状など他の形状であってもよい。
【００８６】
また、本実施形態では、外装部品２０，１２０，２２０が、鋼板によって構成されている。これによれば、強度を高めることができ、外観品質を高めることができる。
【００８７】
また、本実施形態では、洗濯槽１０が３本以上のダンパを介して自立して支持されている（図１（ａ）参照）。これによれば、洗濯槽１０を天板４０の高さぎりぎりに位置させることができるので、洗濯槽１０の底面を高くでき、洗濯物の出し入れが容易になる（図１４（ａ）参照）。
【００８８】
次に、洗濯機の操作パネル６０について図１８から図３７を参照して説明する。
図１８は、操作パネルの構成図、図１９は、操作パネルの操作例を示す動作説明図である。
図１８に示すように、操作パネル６０には、複数の操作ボタンと複数のアイコンが設けられている。本実施形態では、操作パネル６０の一例として、電源ＯＮ／ＯＦＦボタン６０ａ、スタート／一時停止ボタン６０ｂ、プリセットボタン６０ｃ，６０ｄ，６０ｅ（洗濯、洗乾、乾燥）、予約アイコン６０ｆ、ドアロックアイコン６０ｇ、高温注意アイコン６０ｈを備えて構成されている。
【００８９】
図１９（ａ）に示すように、電源ＯＮ／ＯＦＦボタン６０ａを押下することで、洗濯機Ｓ１の電源がＯＮになる。
【００９０】
そして、図１９（ｂ）に示すように、電源がＯＮになると、ＬＥＤが点灯し、プリセットボタンが表示される。このとき、前回運転したコース（ここでは、乾燥ボタン６０ｅ）が選ばれた状態で表示される。選択されているプリセットボタンの外枠が他のボタンに比べて強く光るようになっている。この状態で、スタート／一時停止ボタン６０ｂを押下すると、前回のコースで運転が開始する。
【００９１】
また、図１９（ｃ）に示すように、プリセットボタン６０ｃ，６０ｄ，６０ｅには、洗濯、洗乾、乾燥ボタンが存在し、押下することでコース変更できる。
【００９２】
図１９（ｄ）に示すように、洗乾のプリセットボタン６０ｄを押下すると、洗濯のコースが変更される。このとき、洗乾のプリセットボタン６０ｄの外枠が強く発光する。この状態でスタート／一時停止ボタン６０ｂを押下すると、洗乾コースで運転が開始される。
【００９３】
図１９（ｅ）に示すように、スタート／一時停止ボタン６０ｂを押して運転が開始されるとドア３１のロックが掛かる。ドアロックが掛かると、スタート／一時停止ボタン６０ｂの上方に鍵のメタファを取り入れたドアロックアイコンが発光する。なお、ドアロックを解除するには、スタート／一時停止ボタン６０ｂを押下することで解除できる。また、運転中は、洗濯と乾燥のプリセットボタン６０ｃ，６０ｅが消灯する。
【００９４】
図１９（ｆ）に示すように、運転中において、スタート／一時停止ボタン６０ｂを押下すると、ドアロックアイコン６０ｇが消灯し、ドアロックが解除される。
【００９５】
なお、図１９（ｇ）に示すように、乾燥運転中において、スタート／一時停止ボタン６０ｂを押下してもすぐにドアロックを解除できない場合がある。これは、洗濯槽１０が高温になっているためであり、洗濯槽１０の温度が下がるまでドア３１を開けることができない。このとき、高温注意を示す高温注意アイコン６０ｈが発光する。
【００９６】
また、運転予約登録をすると、スタート／一時停止ボタン６０ｂの上方に時計のメタファを取り入れた予約アイコン６０ｆ（図１８参照）が発光する。
【００９７】
このように、操作パネル６０の各種のボタン６０ａ〜６０ｅに、それぞれの機能を想起させる画像、絵にすることで、各国に対応した現地語にする必要がないため、各国において操作パネル６０の差し替えが不要になる。また、必要最小限のボタン６０ａ〜６０ｅにすることで、どのような利用者であっても操作できるようになる。
【００９８】
図２０は、操作パネルの変形例を示す構成図である。
図２０（ａ）および図２０（ｂ）に示すように、図１８のプリセットボタン６０ｂ，６０ｄ，６０ｅに替えて、数字「１」、「２」、「３」で表したプログラマブルボタン６０ｉ、６０ｊ、６０ｋ、６０ｌ、６０ｍ、６０ｎとしてもよい。
【００９９】
また、図２０（ｃ）に示すように、プログラマブルボタン６０ｉ、６０ｊ、６０ｋと、プリセットボタン６０ｃ、６０ｄ、６０ｅとを組み合わせてもよい。このように、ユニバーサルな表示にすることで、パネルを差し替えるだけで対応することができ、設計変更が容易になる。
【０１００】
また、図２０（ｄ）に示すように、操作パネル６０の電源ＯＮ／ＯＦＦボタン６０ａを除く、ハードボタンである各種ボタン６０ａ〜６０ｎに替えて、タッチ式の液晶パネル７０を搭載するようにしてもよい。また、液晶パネル７０は、図示されているように、丸型のものであってもよく、四角など他の形状であってもよい。また、操作パネル６０に、スマートフォンやタブレットを着脱自在に組み込めるようにしてもよい。
【０１０１】
図２１および図２２は、洗濯機の操作をスマートフォン等の携帯端末で行う場合の画面の切替動作を示すフローチャートである。なお、スマートフォン等の携帯端末は、洗濯機Ｓ１内の制御装置と無線通信によって接続され、洗濯機Ｓ１内の各種情報をスマートフォン等の携帯端末に送信し、逆にスマートフォン等の携帯端末で設定した内容を洗濯機Ｓ１に送信する。以下、本実施例では、スマートフォンによる操作について説明する。
【０１０２】
洗濯機Ｓ１内の制御装置は、マイクロコンピュータ、駆動回路、通信装置等を備え、マイクロコンピュータを介して、使用者の操作や、洗濯工程（洗い工程、すすぎ工程、脱水工程）、乾燥工程での各種情報信号を取得する。また、制御装置は、マイクロコンピュータが駆動回路を介して、ドラムモータの回転、給水電磁弁や排水弁の開閉、送風ユニットの回転やヒータの通電のＯＮ・ＯＦＦを制御する。
【０１０３】
ステップＳ１０において、スマートフォンの制御部は、本体（洗濯機Ｓ１）の電源がＯＮであるか否かを判定する。電源ＯＮ／ＯＦＦボタンがＯＮであると判定した場合には（Ｙｅｓ）、ステップＳ２０に進み、後記する図２４（ａ）のＴＯＰ画面を表示し、電源ＯＮ／ＯＦＦボタンがＯＦＦであると判定した場合には（Ｎｏ）、ステップＳ２１に進み、図２４（ａ）の画面から円の中央の［スタート］アイコンが無い状態で表示し、ステップＳ１０に戻る。
【０１０４】
ステップＳ３０において、制御部は、［アジャスト］アイコンが操作されたか否かを判定し、［アジャスト］アイコンが操作されたと判定した場合には（Ｙｅｓ）、ノードＡに進み、［アジャスト］アイコンが操作されていないと判定した場合には（Ｎｏ）、ステップＳ４０に進む。アジャストとは、洗い時間、すすぎ回数、脱水時間、乾燥時間を変更することができる画面である。
【０１０５】
ステップＳ４０において、制御部、［ステップ］アイコンが操作されたか否かを判定し、［ステップ］アイコンが操作されたと判定した場合には（Ｙｅｓ）、ノードＢに進み、［ステップ］アイコンが操作されていないと判定した場合には（Ｎｏ）、ステップＳ５０に進む。［ステップ］アイコンとは、全体の運転時間を視覚的に確認することができる画面である。
【０１０６】
ステップＳ５０において、制御部、［ドライヴログ］アイコンが操作されたか否かを判定し、［ドライヴログ］アイコンが操作されたと判定した場合には（Ｙｅｓ）、ノードＣに進み、「ドライヴログ」アイコンが操作されていないと判定した場合には（Ｎｏ）、ステップＳ６０に進む。ドライヴログとは、これまでの運転コースをまとめた履歴画面である。
【０１０７】
ステップＳ６０において、制御部は、［フィーチャ］アイコンが操作されたか否かを判定し、「フィーチャ」アイコンが操作されたと判定した場合には（Ｙｅｓ）、ノードＤに進み、［フィーチャ］アイコンが操作されていないと判定した場合には（Ｎｏ）、ステップＳ７０に進む。フィーチャとは、詳細コースの設定画面である。
【０１０８】
ステップＳ７０において、制御部は、［セッティング］アイコンが操作されたか否かを判定し、［セッティング］アイコンが操作されたと判定した場合には（Ｙｅｓ）、ノードＥに進み、［セッティング］アイコンが操作されていないと判定した場合には（Ｎｏ）、ステップＳ８０に進む。
【０１０９】
ステップＳ８０において、制御部は、スマートフォンの［スタート］アイコンが押下されたか否かを判定し、［スタート］アイコンが押下されていないと判定した場合には（Ｎｏ）、ステップＳ３０に戻り、［スタート］アイコンが押下されたと判定した場合には（Ｙｅｓ）、図２２のノードＦに移行する。
【０１１０】
図２２に示すように、ステップＳ９０において、制御部は、運転準備用のモニタリング画面（貯水中のグラフィック）に移行する。
【０１１１】
ステップＳ１００において、制御部は、エラーが発生したか否かを判定し、エラーが発生したと判定した場合には（Ｙｅｓ）、ステップＳ１８０に進み、エラーが発生していないと判定した場合には（Ｎｏ）、ステップＳ１１０に進む。なお、エラーとは、例えば、ドア３１が開いているとか、給水栓が閉じていて給水できないとかである。
【０１１２】
ステップＳ１１０において、制御部は、運転準備完了したか否かを判定し、運転準備完了したと判定した場合には（Ｙｅｓ）、ステップＳ１２０に進み、運転準備完了していないと判定した場合には（Ｎｏ）、ステップＳ９０に戻る。
【０１１３】
ステップＳ１２０において、制御部は、モニタリング画面を本体の運転状況に対応した画面に遷移させる。つまり、洗い工程の場合には洗い工程であることを示すグラフィックに遷移させ、すすぎ工程の場合にはすすぎ工程であることを示すグラフィックに遷移させ、脱水工程の場合には脱水工程であることを示すグラフィックに遷移させ、乾燥工程の場合には乾燥工程であることを示すグラフィックに遷移させる。
【０１１４】
ステップＳ１３０において、制御部は、エラーが発生したと判定したか否かを判定し、エラーが発生したと判定した場合には（Ｙｅｓ）、ステップＳ１８０に進み、エラーが発生していないと判定した場合には（Ｎｏ）、ステップＳ１４０に進む。
【０１１５】
ステップＳ１４０において、制御部は、アラームが設定されているか否かを判定し、アラームが設定されていると判定した場合には（Ｙｅｓ）、ステップＳ１５０に進み、アラームが設定されていないと判定した場合には（Ｎｏ）、ステップＳ１６０に進む。アラームとは、洗濯工程中の任意のタイミングにベルを鳴らす、スマートフォンを振動させるなどして知らせる機能。例えば、脱水後にベルを鳴らすことで、乾燥したくないものを洗濯機から取り出すことができる。なお、アラームは、事前に、セッティングの画面において設定することができる。
【０１１６】
ステップＳ１５０において、制御部は、アラーム画面（鈴アイコン）を円形部８１（図３７（ｇ）参照）に表示する。
【０１１７】
ステップＳ１６０において、制御部は、運転が終了したか否かを判定し、運転が終了したと判定した場合には（Ｙｅｓ）、ステップＳ１７０に進み、運転が終了していないと判定した場合には（Ｎｏ）、ステップＳ１２０に戻る。
【０１１８】
ステップＳ１７０において、制御部は、現在の設定内容を記録（上書き）する。運転終了時の運転コースが最新の情報として記録される。
【０１１９】
ステップＳ１８０において、制御部は、運転停止（エラー）画面を表示する。例えば、円形部８１に、「ドアが開いています」などのエラー内容を示す画面が表示される。
【０１２０】
ステップＳ１９０において、物理的に対応した場合（例えば、ドア３１を閉じた場合）、制御部は、内部処理を実行し、内部処理によってエラーが解消されたか否かを判定し、エラーが解消されたと判定した場合には（Ｙｅｓ）、ステップＳ２００に進み、エラーが解消されていないと判定した場合には（Ｎｏ）、ステップＳ１８０に戻る。
【０１２１】
ステップＳ２００において、制御部は、運転準備中であるか否かを判定し、運転準備中であると判定した場合には（Ｙｅｓ）、ステップＳ９０に戻り、運転準備中ではないと判定した場合には（Ｎｏ）、ステップＳ１２０に戻る。
【０１２２】
図２３Ａないし図２３Ｄは、図２１のノードＡの動作を示すフローチャートである。
図２３Ａに示すように、ステップＳ３１０において、制御部は、洗い設定画面に遷移する。なお、図３１（ａ）に示す円形部８１内の下部の［アジャスト］アイコン９１を押下することで、図３１（ｂ）に示すアジャスト画面（洗い設定画面）に遷移する。
【０１２３】
ステップＳ３１１において、制御部は、円形部８１内の［＋］アイコンが押下されたか否かを判定する。または、制御部は、円形部８１内を上方にスワイプしたか否かを判定する。制御部は、［＋］が押下されたと判定した場合には（Ｓ３１１、Ｙｅｓ）、ステップＳ３１２に進み、「＋」が押下されていないと判定した場合には（Ｓ３１１、Ｎｏ）、ステップＳ３１４に進む。
【０１２４】
ステップＳ３１２において、制御部は、円形部８１に表示されている数値が最大値であるか否かを判定し、最大値であると判定した場合には（Ｙｅｓ）、ステップＳ３１４に進み、最大値ではないと判定した場合には（Ｎｏ）、ステップＳ３１３に進む。
【０１２５】
ステップＳ３１３において、制御部は、円形部８１の数値（洗い時間）を増加させるとともに、円形部８１内のグラフィックを設定数値に対応したグラフィックに変更する。
【０１２６】
ステップＳ３１４において、制御部は、円形部８１内の［−］アイコンが押下されたか否かを判定する。または、制御部は、円形部８１内を下方にスワイプしたか否かを判定する。制御部は、［−］が押下されたと判定した場合には（Ｓ３１４、Ｙｅｓ）、ステップＳ３１５に進み、［−］が押下されていないと判定した場合には（Ｓ３１４、Ｎｏ）、ステップＳ３１７に進む。
【０１２７】
ステップＳ３１５において、制御部は、円形部８１に表示されている数値が最小値であるか否かを判定し、最小値であると判定した場合には（Ｙｅｓ）、ステップＳ３１７に進み、最小値ではないと判定した場合には（Ｎｏ）、ステップＳ３１６に進む。
【０１２８】
ステップＳ３１６において、制御部は、円形部８１の数値（洗い時間）を減少せるとともに、円形部８１内のグラフィックを、設定数値に対応したグラフィックに変更する。
【０１２９】
ステップＳ３１７において、制御部は、円形部８１内が左方向にスワイプしたか否かを判定し、スワイプしたと判定した場合には（Ｙｅｓ）、ノードＡ１に進み、スワイプしていないと判定した場合には（Ｎｏ）、ステップＳ３１８に進む。
【０１３０】
ステップＳ３１８において、制御部は、円形部８１の上部のスタートアイコン（三角を横にしたアイコン）が押下されたか否かを判定し、スタートアイコンが押下されたと判定した場合には（Ｙｅｓ）、図２１のステップＳ２０のトップ画面に戻り、アイコンが押下されていないと判定した場合には（Ｎｏ）、ステップＳ３１１に戻る。
【０１３１】
図２３Ｂに示すように、ステップＳ３１９において、制御部は、すすぎ設定画面に遷移する（図２７参照）。
【０１３２】
ステップＳ３２０において、制御部は、円形部８１内の［＋］アイコンが押下されたか否かを判定する。または、制御部は、円形部８１内を上方にスワイプしたか否かを判定する。制御部は、［＋］が押下されたと判定した場合には（Ｓ３２０、Ｙｅｓ）、ステップＳ３２１に進み、「＋」が押下されていないと判定した場合には（Ｓ３２０、Ｎｏ）、ステップＳ３２５に進む。
【０１３３】
ステップ３２１において、制御部は、円形部８１に表示されている数値が最大値であるか否かを判定し、最大値であると判定した場合には（Ｙｅｓ）、ステップＳ３２５に進み、最大値ではないと判定した場合には（Ｎｏ）、ステップＳ３２２に進む。
【０１３４】
ステップＳ３２２において、制御部は、現在注水すすぎに設定されているか否かを判定し、注水すすぎに設定されている場合には（Ｙｅｓ）、ステップＳ３２３に進み、注水すすぎに設定されていない場合には（Ｎｏ）、ステップＳ３２４に進む。
【０１３５】
ステップＳ３２３において、制御部は、円形部８１の数値「Ｎ」を「Ｎ＋１」にするとともに、円形部８１内のグラフィックを、「Ｎ＋１」に対応したグラフィックに変更する。例えば、数値「Ｎ」が「１」（「１＋」）である場合には、数値「２」に変更する。
【０１３６】
ステップＳ３２４において、制御部は、円形部８１の中央の数値「Ｎ」を「Ｎ＋」にするとともに、円形部８１内のグラフィックを、「Ｎ＋」に対応したグラフィックに変更する。例えば、数値［Ｎ」が「１」の場合、「１＋」に変更する。
【０１３７】
ステップＳ３２５において、制御部は、円形部８１内の［−］アイコンが押下されたか否かを判定する。または、制御部は、円形部８１内を下方にスワイプしたか否かを判定する。制御部は、［−］が押下されたと判定した場合には（Ｓ３２５、Ｙｅｓ）、ステップＳ３２６に進み、［−］が押下されていないと判定した場合には（Ｓ３２５、Ｎｏ）、ステップＳ３３０に進む。
【０１３８】
ステップＳ３２６において、制御部は、円形部８１に表示されている数値が最小値であるか否かを判定し、最小値であると判定した場合には（Ｙｅｓ）、ステップＳ３３０に進み、最小値ではないと判定した場合には（Ｎｏ）、ステップＳ３２７に進む。
【０１３９】
ステップＳ３２７において、制御部は、現在注水すすぎに設定されているか否かを判定し、注水すすぎに設定されている場合には（Ｙｅｓ）、ステップＳ３２８に進み、注水すすぎに設定されていない場合には（Ｎｏ）、ステップＳ３２９に進む。
【０１４０】
ステップＳ３２８において、制御部は、円形部８１の数値「Ｎ＋」を「Ｎ」にするとともに、円形部８１内のグラフィックを、「Ｎ」に対応したグラフィックに変更する。例えば、数値「Ｎ」が「２」（「２＋」）である場合には、数値「１」に変更する。
【０１４１】
ステップＳ３２９において、制御部は、円形部８１の中央の数値「Ｎ」を「（Ｎ−１）＋」にするとともに、円形部８１内のグラフィックを、「（Ｎ−１）＋」に対応したグラフィックに変更する。例えば、数値［Ｎ」が「２」の場合、「１＋」に変更する。
【０１４２】
ステップＳ３３０において、制御部は、円形部８１内が左方向にスワイプしたか否かを判定し、スワイプしたと判定した場合には（Ｙｅｓ）、ノードＡ２に進み、スワイプしていないと判定した場合には（Ｎｏ）、ステップＳ３３１に進む。
【０１４３】
ステップＳ３３１において、制御部は、円形部８１の上部のスタートアイコン（三角を横にしたアイコン）が押下されたか否かを判定し、スタートアイコンが押下されたと判定した場合には（Ｙｅｓ）、図２１のステップＳ２０のトップ画面に戻り、アイコンが押下されていないと判定した場合には（Ｎｏ）、ステップＳ３２０に戻る。
【０１４４】
図２３Ｃに示すように、ステップＳ３３２において、制御部は、脱水設定画面に遷移する（図２８参照）。
【０１４５】
ステップＳ３３３において、制御部は、円形部８１内の［＋］アイコンが押下されたか否かを判定する。または、制御部は、円形部８１内を上方にスワイプしたか否かを判定する。制御部は、［＋］が押下されたと判定した場合には（Ｓ３３３、Ｙｅｓ）、ステップＳ３３４に進み、「＋」が押下されていないと判定した場合には（Ｓ３３３、Ｎｏ）、ステップＳ３３６に進む。
【０１４６】
ステップＳ３３４において、制御部は、円形部８１の数値が最大値であるか否かを判定し、最大値であると判定した場合には（Ｙｅｓ）、ステップＳ３３６に進み、最大値ではないと判定した場合には（Ｎｏ）、ステップＳ３３５に進む。
【０１４７】
ステップＳ３３５において、制御部は、円形部８１の数値（脱水時間）を増加させるとともに、円形部８１内のグラフィックを設定数値に対応したグラフィックに変更する。
【０１４８】
ステップＳ３３６において、制御部は、円形部８１内の［−］アイコンが押下されたか否かを判定する。または、制御部は、円形部８１内を下方にスワイプしたか否かを判定する。制御部は、［−］が押下されたと判定した場合には（Ｓ３３６、Ｙｅｓ）、ステップＳ３３７に進み、［−］が押下されていないと判定した場合には（Ｓ３３６、Ｎｏ）、ステップＳ３３９に進む。
【０１４９】
ステップＳ３３７において、制御部は、円形部８１の数値が最小値であるか否かを判定し、最小値であると判定した場合には（Ｙｅｓ）、ステップＳ３３９に進み、最小値ではないと判定した場合には（Ｎｏ）、ステップＳ３３８に進む。
【０１５０】
ステップＳ３３８において、制御部は、円形部８１の数値（脱水時間）を減少せるとともに、円形部８１内のグラフィックを、設定数値に対応したグラフィックに変更する。
【０１５１】
ステップＳ３３９において、制御部は、円形部８１内が左方向にスワイプしたか否かを判定し、スワイプしたと判定した場合には（Ｙｅｓ）、ノードＡ３に進み、スワイプしていないと判定した場合には（Ｎｏ）、ステップＳ３４０に進む。
【０１５２】
ステップＳ３４０において、制御部は、円形部８１の上部のスタートアイコン（三角を横にしたアイコン）が押下されたか否かを判定し、スタートアイコンが押下されたと判定した場合には（Ｙｅｓ）、図２１のステップＳ２０のトップ画面に戻り、アイコンが押下されていないと判定した場合には（Ｎｏ）、ステップＳ３３３に戻る。
【０１５３】
図２３Ｄに示すように、ステップＳ３４１において、制御部は、乾燥設定画面に遷移する（図３０参照）。
【０１５４】
ステップＳ３４２において、制御部は、円形部８１内の［＋］アイコンが押下されたか否かを判定する。または、制御部は、円形部８１内を上方にスワイプしたか否かを判定する。制御部は、［＋］が押下されたと判定した場合には（Ｓ３４２、Ｙｅｓ）、ステップＳ３４３に進み、「＋」が押下されていないと判定した場合には（Ｓ３４２、Ｎｏ）、ステップＳ３４５に進む。
【０１５５】
ステップＳ３４３において、制御部は、円形部８１の数値が最大値であるか否かを判定し、最大値であると判定した場合には（Ｙｅｓ）、ステップＳ３４５に進み、最大値ではないと判定した場合には（Ｎｏ）、ステップＳ３４４に進む。
【０１５６】
ステップＳ３４４において、制御部は、円形部８１の中央の数値（乾燥時間）を増加させるとともに、円形部８１内のグラフィックを設定数値に対応したグラフィックに変更する。
【０１５７】
ステップＳ３４５において、制御部は、円形部８１内の［−］アイコンが押下されたか否かを判定する。または、制御部は、円形部８１内を下方にスワイプしたか否かを判定する。制御部は、［−］が押下されたと判定した場合には（Ｓ３４５、Ｙｅｓ）、ステップＳ３４６に進み、［−］が押下されていないと判定した場合には（Ｓ３４５、Ｎｏ）、ステップＳ３４８に進む。
【０１５８】
ステップＳ３４６において、制御部は、円形部８１の数値が最小値であるか否かを判定し、最小値であると判定した場合には（Ｙｅｓ）、ステップＳ３４８に進み、最小値ではないと判定した場合には（Ｎｏ）、ステップＳ３４７に進む。
【０１５９】
ステップＳ３４７において、制御部は、円形部８１の数値（乾燥時間）を減少せるとともに、円形部８１内のグラフィックを、設定数値に対応したグラフィックに変更する。
【０１６０】
ステップＳ３４８において、制御部は、円形部８１内が左方向にスワイプしたか否かを判定し、スワイプしたと判定した場合には（Ｙｅｓ）、図２３ＡのステップＳ３１０に戻り、スワイプしていないと判定した場合には（Ｎｏ）、ステップＳ３４９に進む。
【０１６１】
ステップＳ３４９において、制御部は、円形部８１の上部のスタートアイコン（三角を横にしたアイコン）が押下されたか否かを判定し、スタートアイコンが押下されたと判定した場合には（Ｙｅｓ）、図２１のステップＳ２０のトップ画面に戻り、アイコンが押下されていないと判定した場合には（Ｎｏ）、ステップＳ３４２に戻る。
【０１６２】
図２４は、スマートフォンのトップ画面から遷移できるサンプル図である。
図２４（ａ）に示すトップ画面から、図２４（ｂ）に示すアジャスト画面、図２４（ｃ）に示すステップ画面、図２４（ｄ）に示すモニタリング画面、図２４（ｅ）に示すエラー画面に遷移することができる。
【０１６３】
また、図２４（ｆ）は、スマートフォン８０の画面下部の拡大図であり、左端のドライヴログアイコン１０１を押下することで、図２４（g）に示すドライヴログ画面に遷移する。なお、図２４（ｇ）の画面は、図２１のノードＣに対応している。また、図２４（ｆ）の右端から２番目のフィーチャアイコン１０２を押下することで、図２４（ｈ）に示すフィーチャ画面に遷移する。なお、図２４（ｈ）の画面は、図２１のノードＤに対応している。また、図２４（ｆ）の右端のセッティングアイコン１０３を押下することで、図２４（ｉ）に示すセッティング画面に遷移する。なお、図２４（ｉ）の画面は、図２１のノードＥに対応している。
【０１６４】
図２５は、アジャストの画面遷移を示すサンプル図である。
図２５（ａ）は、洗い時間を設定する画面であり、渦を巻くような寒色系のグラフィックが表示される。円形部８１の中央には、現在設定されている洗い時間が表示され、その上部に洗い時間を延長する［＋］プラスアイコン、その下部に時間を短縮する［−］マイナスアイコンが表示される。図２５（ａ）に示す円形部８１内を左にスワイプすることにより、図２５（ｂ）の画面に遷移する。
【０１６５】
図２５（ｂ）は、すすぎ回数を設定する画面であり、水が滝のように流れる寒色系のグラフィックが表示される。また、円形部８１の中央には、現在設定されている回数が表示され、その上部に回数を増やす［＋］プラスアイコン、その下部に回数を減らす［−］マイナスアイコンが表示される。図２５（ｂ）に示す円形部８１内を左にスワイプすることにより、図２５（ｃ）の画面に遷移する。
【０１６６】
図２５（ｃ）は、脱水時間を設定する画面であり、水滴が周囲に飛び散るような寒色系のグラフィックが表示される。また、円形部８１の中央には、現在設定されている脱水時間が表示され、その上部に脱水時間を増やす［＋］プラスアイコン、その下部に脱水時間を減らす［−］マイナスアイコンが表示される。図２５（ｃ）に示す円形部８１内を左にスワイプすることにより、図２５（ｄ）の画面に遷移する。
【０１６７】
図２５（ｄ）は、乾燥時間を設定する画面であり、空気が吹き出すような暖色系のグラフィックが表示される。また、円形部８１の中央部には、現在設定されている乾燥時間が表示され、その上部に乾燥時間を増やす［＋］プラスアイコン、その下部に乾燥時間を減らす［−］マイナスアイコンが表示される。図２５（ｄ）に示す円形部８１を左にスワイプすることにより、図２５（ａ）の画面に遷移する。
【０１６８】
また、円形部８１を右側にスワイプすることにより、前記とは逆向きに画面が遷移する。また、プラスアイコンやマイナスアイコンをタップすることで設定値を変更することができるが、フリック操作でも設定値を変更することができる。
【０１６９】
図２６は、洗い時間変更時のグラフィックの変化を示すサンプル図である。なお、円形部８１のグラフィックは、水が渦を巻くようなイメージを想定している。
【０１７０】
図２６（ａ）に示すように、洗い時間が６分の場合には、円形部８１に表示される渦巻きのグラフィックは、渦の巻き方が小さく表示される。そして、図２６（ｂ）に示すように、洗い時間が１２分の場合には、円形部８１に表示される渦巻きのグラフィックは、渦の巻き方が図２６（ａ）の場合よりも大きく表示される。そして、図２６（ｃ）に示すように、洗い時間が２５分の場合には、円形部８１に表示される渦巻きのグラフィックは、渦の巻き方が図２６（ｂ）の場合よりも大きく表示される。
【０１７１】
また、図２６（ｄ）に示すように、渦状のグラフィックを同方向（右回り方向）に回転させることで洗い時間を増やし、反対方向（左回り方向）に回転させることで洗い時間を減らすようにしてもよい。これは、アジャスト画面共通の操作方法でもある。
【０１７２】
図２７は、すすぎ回数変更時のグラフィックの変化を示すサンプル図である。なお、円形部８１内のグラフィックは、流水をイメージしたものであり、円左側から水が落ちてくることを想定している。また、円内下部のしぶきについては、流水が落ちてきたタイミングで揺れるようになっている。
【０１７３】
図２７（ａ）に示すように、すすぎ回数が「１」であり、円形部８１にすすぎの水流が１本ですすぎの水量が少ない状態のグラフィックが表示される。図２７（ａ）の画面において、円形部８１内を上方にスワイプ、またはプラスアイコンをタップすることにより、図２７（ｂ）の画面に遷移する。
【０１７４】
図２７（ｂ）に示すように、すすぎ回数が「１＋」となり、注水すすぎが実行される。この場合、円形部８１には、すすぎの水流が１本ですすぎの水量が図２７（ａ）よりも多い状態のグラフィックが表示される。
【０１７５】
前記と同様に操作することにより、図２７（ｃ），（ｄ），（ｅ），（ｆ），（ｇ），（ｈ）に示すように、すすぎ回数が「２」、「２＋」、「３」、「３＋」、「４」、「４＋」に遷移する。また、円形部８１内のグラフィックも、すすぎ回数が増えるにつれて水流の本数が増えていく。
【０１７６】
図２８は、脱水時間変更時のグラフィックの変化を示すサンプル図である。なお、円形部８１内のグラフィックは、水しぶきが回転しながら、中心から大きくなって消えていく動きを想定している。
【０１７７】
図２８（ａ）に示すように、脱水時間が「１」ｍｉｎの場合には、円形部８１に表示される水滴が小さく且つ一重の円のグラフィックとなっている。図２８（ａ）に示す画面において、円形部８１を上方にスワイプすることにより、図２８（ｂ）の画面に遷移する。
【０１７８】
図２８（ｂ）に示すように、脱水時間が「２」ｍｉｎとなり、円形部８１に表示される水滴が図２８（ａ）よりも大きく且つ大きな円状に配置されたグラフィックとなっている。図２８（ｂ）に示す画面において、円形部８１を上方にスワイプすることにより、図２８（ｃ）の画面に遷移する。
【０１７９】
図２８（ｃ）に示すように、脱水時間が「４」ｍｉｎとなり、水滴が図２８（ｂ）よりも大きく且つ二重円状のグラフィックとなっている。図２８（ｃ）に示す画面において、円形部８１を上方にスワイプすることにより、図２８（ｄ）の画面に遷移する。
【０１８０】
図２８（ｄ）に示すように、脱水時間が「８」ｍｉｎとなり、水滴が図２８（ｃ）よりも大きく且つ二重円状のグラフィックとなっている。図２８（ｄ）に示す画面において、円形部８１を上方にスワイプすることにより、図２８（ｅ）の画面に遷移する。
【０１８１】
図２８（ｅ）に示すように、脱水時間が「９」ｍｉｎとなり、水滴が図２８（ｄ）よりも大きく且つ三重円状のグラフィックとなっている。図２８（ｅ）に示す画面において、円形部８１を下方にスワイプすることにより、図２８（ｄ）に戻る。なお、図２８（ｅ）において、円形部８１を上方にスワイプしても、図２８（ａ）に示す画面には遷移しない。
【０１８２】
図２９は、脱水時間を変更する際の別の操作方法を示すサンプル図である。
図２９（ｂ）に示す画面において、円形部８１内のプラスアイコンをタップすることにより、脱水時間が増加し、図２９（ｃ）の画面に遷移する。また、図２９（ｂ）に示す画面において、円形部８１内のマイナスアイコンをタップすることにより、脱水時間が減少し、図２９（ａ）の画面に遷移する。
【０１８３】
図３０は、乾燥時間変更時のグラフィックの変化を示すサンプル図である。なお、円形部８１のグラフィックは、風のメタファ（三日月状のパーツ）が渦を巻くように回転する動作を想定したものである。
図３０（ａ）に示すように、乾燥時間が「３０」ｍｉｎの場合には、円形部８１に表示される風の面積が小さくなっている。図３０（ａ）において、円形部８１を上方にスワイプまたはプラスアイコンをタップすることにより、図３０（ｂ）の画面に遷移する。
【０１８４】
図３０（ｂ）に示すように、乾燥時間が「６０」ｍｉｎになり、円形部８１の風の面積が拡大したグラフィックとなる。同様にして、図３０（ｂ）のグラフィックから図３０（ｃ）のグラフィックに遷移し、さらに図３０（ｄ）のグラフィックに遷移する。
【０１８５】
図３１は、アジャストの切替操作を示すサンプル図である。
図３１（ａ）に示すように、円形部８１の下部に表示されている［アジャスト］アイコンをタップすることにより、図３１（ｂ）に示す画面に遷移する。また、図３１（ｃ）に示すように、円形部８１の上部に表示されている［スタート］アイコン９２をタップすることにより、図３１（ｄ）に示すトップ画面に遷移する。
【０１８６】
図３２は、図２１のノードＢの動作を示すフローチャート、図３３は、ステップ画面の遷移を示すサンプル図である。ステップ画面は、選択している洗濯コースの内訳表示をグラフィックで確認できる機能を有している。
図３２に示すように、ステップＳ４００において、制御部は、ステップ画面が表示される（図３３（ｂ）参照）。
【０１８７】
ステップＳ４１０において、制御部は、ステップ画面のセグメントのリンクがタップされたか否かを判定し、リンクがタップされたと判定した場合には（Ｙｅｓ）、ステップＳ４２０に進み、リンクがタップされていないと判定した場合には（Ｎｏ）、ステップＳ８０に戻る。ステップ画面の各セグメントｓ１，ｓ２，ｓ３，ｓ４，ｓ５には、それぞれ、洗いアイコン、すすぎアイコン、すすぎアイコン、脱水アイコン、乾燥アイコンが表示されている。
【０１８８】
ステップＳ４２０において、制御部は、対応するアジャスト画面に遷移する。例えば、図３３（ｂ）のセグメントｓ１の洗いアイコンをタップすることにより、図２６のアジャストの洗い時間の調整画面に遷移する。また、図３３（ｂ）のセグメントｓ５の乾燥アイコンをタップすることにより、図３０に示す乾燥時間の調整画面に遷移する。
【０１８９】
ステップＳ４３０において、制御部は、円形部８１内の上部のスタートアイコンをタップされたか否かを判定し、タップされていない場合には（Ｎｏ）、ステップＳ４３０を繰り返し、タップされた場合には（Ｙｅｓ）、ステップＳ２０のトップ画面に戻る。なお、ステップＳ４２０のアジャスト画面において、左スワイプが実行されたか否かに応じて、別のアジャスト画面に遷移するようにしてもよい。
【０１９０】
図３３（ａ）の画面において、円形部８１を左にスワイプすると、図３３（ｂ）に示すように、らせん状のラインで表現される。洗濯コースの項目が切り替わる数だけセグメントｓ１，ｓ２，ｓ３，ｓ４，ｓ５が表示される。また、セグメントｓ１，ｓ２，ｓ３，ｓ４，ｓ５の中心位置のライン上には、対応する項目のアイコンが表示される。
【０１９１】
なお、図３３（ｂ）の画面が表示される際には、まず図３３（ｃ）に示すように、セグメントが無いグラフィックが表示され、そして図３３（ｄ）および図３３（ｅ）に示すように、洗いのセグメントｓ１から順番に表示され、図３３（ｆ）に示すように、セグメントｓ１〜ｓ５がすべて表示されたところで、運転時間の合計が数値で表示される。このように、表示切替を行ったタイミングでアニメーションによって表示される。また、１周が６０分を意味しており、大まかな時間が文字を読まずとも確認できる。
【０１９２】
また、セグメントｓ１，ｓ２，ｓ３，ｓ４，ｓ５のリンクアイコンをタップすることにより、対応したアジャストの項目に遷移できる。例えば、図３３（ｇ）に示すように、セグメントｓ３のすすぎアイコンをタップすることで、図３３（ｈ）に示すように、すすぎの回数を調整することが可能なアジャストの項目に遷移する。
【０１９３】
図３４は、図２１のノードＣの動作を示すフローチャートである。
図３４に示すように、ステップＳ５００において、制御部は、文字メインの履歴画面において、グラフアイコンをタップしたか否かを判定し、グラフアイコンをタップしたと判定した場合には（Ｙｅｓ）、ステップＳ５１０に進み、グラフアイコンをタップしていないと判定した場合には（Ｎｏ）、ステップＳ５２０に進む。
【０１９４】
ステップＳ５１０において、制御部は、グラフメインの履歴画面に切り替わる。
【０１９５】
ステップＳ５２０において、制御部は、文字アイコンをタップしたか否かを判定し、文字アイコンをタップしたと判定した場合には（Ｙｅｓ）、ステップＳ５３０に進み、文字アイコンをタップしていないと判定した場合には（Ｎｏ）、ステップＳ５４０に進む。
【０１９６】
ステップＳ５３０において、制御部は、文字メインの履歴画面に切り替わる。
【０１９７】
ステップＳ５４０において、制御部は、履歴画面のリストをタップしたか否かを判定し、リストをタップしたと判定した場合には（Ｙｅｓ）、ステップＳ５５０に進み、リストをタップしていないと判定した場合には（Ｎｏ）、ステップＳ５００に戻る。
【０１９８】
ステップＳ５５０において、制御部は、スタート画面に遷移して、ステップＳ５６０に進む。
【０１９９】
ステップＳ５６０において、円形部８１のスタートアイコン９２を押下したか否かを判定し、押下していないと判定した場合には（Ｎｏ）、ステップＳ５６０の処理を繰り返し、押下したと判定した場合には（Ｙｅｓ）、ステップＳ２０のＴＯＰ画面に戻る。
ステップＳ８０に戻る。
【０２００】
図３５は、ドライヴログ画面の遷移を示すサンプル図である。
図３５（ａ）に示すように、（ｂ）の拡大図で示すドライヴログアイコンをタップすることにより、図３５（ｃ）に示す文字メインの履歴画面に遷移する。この履歴画面は、洗濯コース、運転時間などが大きく表示されるとともに、日付順に並んでいる。また、各リストの先頭には、星型のお気に入りアイコン１０５が表示されており、このお気に入りアイコン１０５をタップすることで、その運転コースをお気に入りリストに含めることができる。
【０２０１】
図３５（ｄ）の拡大図に示すように、グラフアイコン１０６がタップされると、図３５（ｃ）に示す文字メインの履歴画面が、図３５（ｅ）に示すグラフメインの履歴画面に遷移する。この履歴画面は、洗濯コースと、ステップ画面が表示され、日付順に並んでいる。また、各リストの先頭には、お気に入りアイコン１０５が表示されている。
【０２０２】
図３５（ｃ）のリストまたは図３５（ｅ）のリストから運転コースを選択すると、図３５（ｆ）の画面に遷移する。ここでは、円形部８１の下側には、現在の天気と連動した最適な運転コース（時間）を調整、提案する機能を有しいている。例えば、１週間前に行った洗濯コースによい印象を受けていて、そのときは「晴れ」だったけれど、今回その洗濯コースを実行する場合には「くもり」なので、「くもり」に対応した洗濯コースの提案１１０，１１１を、円形部８１の下側に表示する。なお、天気は、スマートフォンが通信で繋がっているので、天気情報を取り込むことができる。このように、履歴と天気とを組み合わせることで、よりよい履歴型運転を提案することができる。
【０２０３】
図３５（ｇ）に示すように、曜日毎にソートする機能を付加することができる。例えば、カレンダ１０６を表示させて、曜日を選択することで、その日に行った運転をソートして表示させる。例えば、土曜日というアイコンを押下した場合、土曜日に洗濯した内容が表示される。また、お気に入りのコースのみを表示させるスライドバーアイコン１０７を組み込むことにより、お気に入りにしたコースのみを表示させるようにてもよい。例えば、子供が毎週土曜日にサッカーをしている場合、汚れのひどいサッカーの靴下を洗濯するのに、洗い時間を長くしたり、すすぎの回数を増やしたり、脱水も長くしたりするなどの設定が必要になり、操作が面倒になる。そこで、サッカーの靴下を登録しておいて、カレンダ１０６の土曜日をタップして、登録したサッカーの靴下の履歴をタップすることで、設定が完了するので、毎回、前記した面倒な操作が不要になる。このように、単なる履歴ではなく、カレンダ１０６と組み合わせた履歴にすることで、洗濯機の使い勝手が向上する。
【０２０４】
図３６は、ドライヴログの別の表示方法を示すサンプル図である。
図３６（ａ）に示すように、トップ画面の円形部８１内において右側にスワイプすることにより、図３６（ｂ）に示すように、円形部８１内にドライヴログのリストが表示される。円形部８１内を上下にスワイプすることで、隠れたリスト（項目）を確認することができる。また、図３６（ｃ）に示すように、円形部８１を左にスワイプすることにより、図３６（ａ）に示すトップ画面に戻ることができる。
【０２０５】
図３７は、モニタリング画面の遷移を示すサンプル図である。
図３７（ａ）に示すように、トップ画面において［スタート］アイコンを押下すると、図３７（ｂ）に示すように、運転動作準備中に遷移する。このとき、円形部８１には、一時停止アイコンが表示され、一時停止アイコンの下側に、読み込み中を示すアイコンが表示される。そして、円形部８１の下部に貯水が開始されている状態が表示される。
【０２０６】
そして、図３７（ｃ）に示すように、水貯めが完了すると、水面をイメージさせる青い面がゆらゆら揺れながら、円の半分までせり上がる。そして、図３７（ｄ）に示すように、洗い運転画面に遷移し、図３７（ｅ）に示すように、すすぎ運転画面に遷移し、図３７（ｆ）に示すように、脱水運転画面に遷移し、図３７（ｇ）に示すように、乾燥運転画面に遷移する。乾燥運転に移行することを知らせるアラームが設定されている場合には、音（振動）のメタファと、ベルが震える動作を想定した画面が円形部８１に表示される。そして、図３７（ｈ）に示すように、乾燥運転画面に遷移した後、図３７（ｉ）に示すように、一連の洗濯乾燥運転が終了した場合には、円形部８１内のグラフィックが消えて、ユーザに運転が終了したことを知らせる。
【０２０７】
このように、円形部８１に表示されるボタンが、運転をスタート、一時停止するためだけのボタンではなくて、ステイタスを兼ねたものとして機能している。また、ステイタス（運転状態）を文字ではなくて、グラフィックで分かり易くまとめているので、ユーザにとって初見でも、どこを押せばよいのかが分かり易くなり、使い勝手を向上することができる。
【符号の説明】
【０２０８】
１０    洗濯槽
１３    ダンパ
２０，１２０，２２０  外装部品
２１ａ，２１ｂ，１２１ａ，１２１ｂ，２２１ａ，２２１ｂ  側面部
２１ｃ，１２１ｃ，２２１ｃ  背面部
２１ｄ，２１ｅ，１２１ｄ，１２１ｅ，２２１ｄ，２２１ｅ  前面部
３０    部品共有部（共通構造部）
３１，１３１  ドア
３２    前面上パネル（前面パネル）
３２ａ  開口（投入口）
３３    糸くずフィルタ
３４    洗剤自動投入用タンク
３９    取手部（取っ手）
４０，１４０，２４０  天板
６０，１６０  操作パネル
６１，１６１  洗剤類投入部
１３０  部品同一構成部（共通構造部）
１３２  前面パネル
Ｓ１，Ｓ２，Ｓ３  洗濯機
【図１】
2017169928.tif 000003
【図２】
2017169928.tif 000004
【図３】
2017169928.tif 000005
【図４】
2017169928.tif 000006
【図５】
2017169928.tif 000007
【図６】
2017169928.tif 000008
【図７】
2017169928.tif 000009
【図８】
2017169928.tif 000010
【図９】
2017169928.tif 000011
【図１０】
2017169928.tif 000012
【図１１】
2017169928.tif 000013
【図１２】
2017169928.tif 000014
【図１３】
2017169928.tif 000015
【図１４】
2017169928.tif 000016
【図１５】
2017169928.tif 000017
【図１６】
2017169928.tif 000018
【図１７】
2017169928.tif 000019
【図１８】
2017169928.tif 000020
【図１９】
2017169928.tif 000021
【図２０】
2017169928.tif 000022
【図２１】
2017169928.tif 000023
【図２２】
2017169928.tif 000024
【図２３Ａ】
2017169928.tif 000025
【図２３Ｂ】
2017169928.tif 000026
【図２３Ｃ】
2017169928.tif 000027
【図２３Ｄ】
2017169928.tif 000028
【図２４】
2017169928.tif 000029
【図２５】
2017169928.tif 000030
【図２６】
2017169928.tif 000031
【図２７】
2017169928.tif 000032
【図２８】
2017169928.tif 000033
【図２９】
2017169928.tif 000034
【図３０】
2017169928.tif 000035
【図３１】
2017169928.tif 000036
【図３２】
2017169928.tif 000037
【図３３】
2017169928.tif 000038
【図３４】
2017169928.tif 000039
【図３５】
2017169928.tif 000040
【図３６】
2017169928.tif 000041
【図３７】
2017169928.tif 000042